(57)【要約】【課題】画面上のポインタを素早く正確に移動できるようにすることを目的とする。【解決手段】入力装置本体１を移動させることにより画面３ａ上のポインタ４を移動する第１のポインタ移動手段５と、トラックボール６自体を回転させることによりこの画面３ａ上のポインタ４を移動する第２のポインタ移動手段６とを設けたものである。【選択図】図１
2007179226.tif 000002
【特許請求の範囲】
【請求項１】
入力装置本体を移動させることにより画面上のポインタを移動する第１のポインタ移動手段と、トラックボール自体を回転させることにより前記画面上のポインタを移動する第２のポインタ移動手段とを設けたことを特徴とする入力装置。
【請求項２】
請求項１記載の入力装置において、
前記第１のポインタ移動手段による画面上のポインタの移動と、前記第２のポインタ移動手段による画面上のポインタの移動とを同時に行うようにしたことを特徴とする入力装置。
【請求項３】
請求項１記載の入力装置において、
前記第１及び第２のポインタ移動手段の内、先にポインタを移動した方を優先して前記画面上のポインタの移動を行うようにしたことを特徴とする入力装置。
【請求項４】
請求項１記載の入力装置において、
前記第１及び第２のポインタ移動手段を切換えて使用するようにしたことを特徴とする入力装置。
【発明の詳細な説明】
【技術分野】
【０００１】
本発明は、パーソナルコンピュタのディスプレイの画面上のポインタを移動する入力装置に関する。
【背景技術】
【０００２】
従来、パーソナルコンピュタのディスプレイの画面上のポインタを移動する入力装置（例えばマウス）として、この入力装置本体の底面に例えば光学式センサを設置し、この入力装置本体を移動することにより、この画面上のポインタを移動するようにしたものが提案されている。
【０００３】
また、他のパーソナルコンピュタのディスプレイの画面上のポインタを移動する入力装置として、トラックボールを手の指等で直接回転させて画面上のポインタを移動するようにしたものが提案されている。
【０００４】
また、特許文献１には、入力装置本体を動かすことによって、パーソナルコンピュタの画面上のポインタ（カーソル）を動かすマウスの上面に画面をスクロールするスクロール用ボールを設けたものが開示されている。
【特許文献１】特開２００１−３４４０６８号公報
【発明の開示】
【発明が解決しようとする課題】
【０００５】
ところで、光学式センサを底面に設置し、入力装置本体を移動するようにした入力装置においては、画面上のポインタの移動量を大きく取る場合には、この入力装置本体を十分に大きく動かすことで容易にこのポインタを大きく移動することができる。
【０００６】
然しながら、画面上のポインタの移動量を小さく取る場合には、この入力装置本体を動かす距離を小さくする必要があり、この入力装置本体の大きさに対し、移動量が小さいときは、この入力装置本体の移動がさせずらい（希望する位置にポインタを合わせずらい）不都合があった。
【０００７】
また、トラックボールを手の指等で直接回転させて画面上のポインタを移動するようにした入力装置においては、画面上のポインタの移動量を小さく取る場合には、トラックボールを少量回転させる程度で十分なポインタの移動ができ、ポインタの位置の微調整等が容易に実現できる。
【０００８】
然しながら、画面上のポインタの移動量を大きく取る場合には、このトラックボールの回転量を多くする必要があり、このポインタの移動に時間がかかる等の不都合があった。
【０００９】
本発明は、斯かる点に鑑み、画面上のポインタを素早く正確に移動できるようにすることを目的とする。
【課題を解決するための手段】
【００１０】
本発明入力装置は、入力装置本体を移動させることにより画面上のポインタを移動する第１のポインタ移動手段と、トラックボール自体を回転させることによりこの画面上のポインタを移動する第２のポインタ移動手段とを設けたものである。
【発明の効果】
【００１１】
本発明によれば、入力装置本体を移動させることにより画面上のポインタを移動する第１のポインタ移動手段と、トラックボール自体を手の指等で直接回転させることによりこの画面上のポインタを移動する第２のポインタ移動手段とを設けたので、画面上のポインタの移動量を大きく取るときは、第１のポインタ移動手段を使用して、画面上のポインタを移動し、画面上のポインタの移動量を小さく取るときは、この第２のポインタ移動手段を使用して、画面上のポインタを移動するようにすれば、画面上のポインタを素早く正確（精度良く）に移動することができる。
【発明を実施するための最良の形態】
【００１２】
以下、図面を参照して、本発明入力装置を実施するための最良の形態の例につき説明する。
【００１３】
図２は、本例の入力装置をマウスに適用した例のマウスが、接続されるパーソナルコンピュタ2及びこのパーソナルコンピュタ２が接続されるディスプレイ３を全体として見た外観図を示す。
【００１４】
この図２において、１はマウス本体を示し、このマウス本体１は、図１Ｂに示す如く、マウス本体１の底部１ａに例えば光学式センサ５を設けたもので、このマウス本体１の底部１ａを下にして移動することにより、パーソナルコンピュタ２が接続されたディスプレイ３の画面３ａ上のポインタ４を移動するようになす。この光学式センサ５は、従来周知のマウスのポインタを移動する光学式センサと同様に構成する。図１Ｂにおいて、５ａはこのマウス本体１の底部１ａに設けた、この光学式センサ５の検出用の穴である。
【００１５】
本例においては、図１Ａ及び図２に示す如く、このマウス本体１の上面中央部に手の指等で直接回転させてパーソナルコンピュタ２が接続されたディスプレイ３の画面３ａ上のポインタ４を移動するトラックボール６を設ける。ここで、トラックボール６とは、任意の方向に回転できるように、特定の回転軸をもたない球状の回転体で、その回転動作を信号化してパーソナルコンピュタ２に伝えることができるものである。
【００１６】
この図１Ａ及び図２に示す如く、このマウス本体１の上面のトラックボール６の前方側中央に画面３ａをスクロールするスクロールホイール７を設け、このスクロールホイール７の右側に右ボタン８を設けると共にこのスクロールホイール７の左側に左ボタン９を設ける如くする。このスクロールホイール７、右ボタン８及び左ボタン９は、従来周知のマウスと同様に構成したものである。
【００１７】
このマウス本体１の前面側から導出されたワイヤー１０の先端には、ＵＳＢ用のプラグ１１が接続され、パーソナルコンピュタ２に設けたＵＳＢソケット１２に挿入接続できる如くなされている。
【００１８】
本例においては、このマウス本体１に設けた、マウス本体１を移動することにより画面３ａ上のポインタ４を移動する光学式センサ５の移動量検出信号ＯＰと手の指等で直接回転させて画面３ａ上のポインタ４を移動するトラックボール６の移動量検出信号ＴＯとを、図３、図5及び図７に示す如く取り扱うようにする。
【００１９】
図3例は、このマウス本体１に設けた、マウス本体１を移動することにより画面３ａ上のポインタ４を移動する光学式センサ５の移動量検出信号ＯＰと手の指等で直接回転させて画面３ａ上のポインタ４を移動するトラックボール６の移動量検出信号ＴＯとの合計で画面３ａ上のポインタ４を同時に移動するようにしたものである。
【００２０】
この図3例においては、光学式センサ５によるマウス本体１を移動した移動量に応じた移動量検出信号ＯＰをマイクロコントローラユニット（ＭＣＵ）２０に供給すると共にトラックボール６自体を手の指等により直接回転した移動量に応じた移動量検出信号ＴＯをマイクロコントローラユニット２０に供給する。
【００２１】
このマイクロコントローラユニット２０においては、この光学式センサ５による移動量検出信号ＯＰとトラックボール６による移動量検出信号ＴＯとを加算回路で加算して合計し、この合計した移動量検出信号（ＯＰ＋ＴＯ）をポインタ４の移動信号とする。
【００２２】
このマイクロコントローラユニット２０に得られるポインタ４の移動信号をＵＳＢコントローラ２１を介してパーソナルコンピュタ２に供給し、ディスプレイ３の画面３ａ上のポインタ４をこの光学式センサ５によるマウス本体１の移動量に応じた移動量検出信号ＯＰとトラックボール６自体を手の指等により直接回転した移動量に応じた移動量検出信号ＴＯとの合計によるポインタ４の移動信号により移動する。
【００２３】
この図3例のマイクロコントローラユニット２０の動作につき、図４のフローチャートを参照して説明する。
【００２４】
先ず、トラックボール６自体が手の指等により直接回転したかどうかを判断する（ステップＳ１）。このステップＳ１でＹｅｓのときは、このトラックボール６自体の回転移動量に応じた移動量検出信号ＴＯを保存する（ステップＳ２）。
【００２５】
ステップＳ１でＮｏのときは、マウス本体１が移動され、光学式センサ５の移動があったかどうかを判断する（ステップＳ３）。このステップＳ３でＹｅｓのときは、光学式センサ５の移動量検出信号ＯＰを保存する（ステップＳ４）。
【００２６】
その後、ステップＳ５に移行し、ステップＳ２で保存したトラックボール６の移動量検出信号ＴＯとステップＳ4で保存した光学式センサ５の移動量検出信号ＯＰとを合計し、合計したポインタ４の移動信号をＵＳＢコントローラ２１を介してパーソナルコンピュタ２に送付する。その後、ステップＳ１に戻る。
【００２７】
図5例は、マウス本体１を移動することにより画面３ａ上のポインタ４を移動する光学式センサ5によるポインタ４の移動と、手の指等で直接回転させて画面３ａ上のポインタ４を移動するトラックボール6にとるポインタ４の移動とのポインタ４の移動を先に行った方を優先するようにしたものである。
【００２８】
この図5例においては、光学式センサ５によるマウス本体１を移動した移動量に応じた移動量検出信号ＯＰをマイクロコントローラユニット（ＭＣＵ）２０に設けた先に入力された信号を先に出力するＦＩＦＯ２０ａの一方の入力側に供給すると共にトラックボール６自体を手の指等により直接回転した移動量に応じた移動量検出信号ＴＯをマイクロコントローラユニット２０に設けたＦＩＦＯ２０ａの他方の入力側に供給する。
【００２９】
このマイクロコントローラユニット２０においては、ＦＩＦＯ２０ａの出力側に得られる光学式センサ５の移動量検出信号ＰＯ又はトラックボール６による移動量検出信号ＴＯの内、先に入力された移動量検出信号を優先してポインタ４の移動信号としてＵＳＢコントローラ２１を介してパーソナルコンピュタ２に供給し、この移動信号でディスプレイ３の画面３ａ上のポインタ４を移動する。
【００３０】
次に、後から入力された移動量検出信号をポインタ４の移動信号としてＵＳＢコントローラ２１を介してパーソナルコンピュタ２に供給し、この移動信号でディスプレイ３の画面３ａ上のポインタ４を移動する。
【００３１】
この図５例のマイクロコントローラユニット２０の動作につき、図６のフローチャートを参照して説明する。
【００３２】
先ず、トラックボール６自体が手の指等により直接回転したかどうかを判断する（ステップＳ６）。このステップＳ６でＮｏのときは、マウス本体１が移動され光学式センサ５の移動があったかどうかを判断する（ステップＳ７）。
【００３３】
ステップＳ８において、このステップＳ６又はＳ７で先にＹｅｓとなった、トラックボール６又は光学式センサ５の移動量検出信号ＴＯ又はＯＰが先にポインタ４の移動信号として、ＵＳＢコントローラ２１を介してパーソナルコンピュタ２に送付され、続いて、このステップＳ６又はＳ７で後にＹｅｓとなった、トラックボール６又は光学式センサ５の移動量検出信号ＴＯ又はＯＰがポインタ４の移動信号として、ＵＳＢコントローラ２１を介してパーソナルコンピュタ２に送付される。
【００３４】
図７例は、このマウス本体１に設けた、マウス本体１を移動することにより画面３ａ上のポインタ４を移動する光学式センサ５の移動量検出信号ＯＰと手の指等で直接回転させて画面３ａ上のポインタ４を移動するトラックボール６の移動量検出信号ＴＯとを、切換スイッチ２０ｂで切換選択して画面３ａ上のポインタ４を移動するようにしたものである。
【００３５】
図７例においては、光学式センサ５によるマウス本体１を移動した移動量に応じた移動量検出信号ＯＰをマイクロコントローラユニット（ＭＣＵ）２０に設けた切換スイッチ２０ｂの一方の固定接点に供給すると共にトラックボール６自体を手の指等により直接回転した移動量に応じた移動量検出信号ＴＯをマイクロコントローラユニット２０に設けた切換スイッチ２０ｂの他方の固定接点に供給する。
【００３６】
このマイクロコントローラユニット２０においては、この切換スイッチ２０ｂの可動接点に得られる切換選択した光学式センサ５の移動量検出信号ＯＰ又はトラックボール６の移動量検出信号ＴＯをポインタ４の移動信号として、ＵＳＢコントローラ２１を介してパーソナルコンピュタ２に供給し、この移動信号によりディスプレイ３の画面３ａ上のポインタ４を移動する。
【００３７】
この図７例のマイクロコントローラユニット２０の動作につき、図８のフローチャートを参照して説明する。
【００３８】
先ず、切換スイッチ２０ｂの可動接点が他方の固定接点即ちトラックボール６よりの移動量検出信号ＴＯが供給される側に接続（選択）されているかどうかを判断する（ステップＳ９）。
【００３９】
このステップＳ９でＹｅｓのときは、トラックボール６自体を手の指等により移動したかどうかを判断する（ステップＳ１０）。このステップＳ１０でＮｏのときは何も行わない。このステップＳ１０でＹｅｓのときは、トラックボール６自体を手の指等により直接回転した移動量に応じた移動量検出信号ＴＯを得（ステップＳ１１）、このトラックボール６の移動量検出信号ＴＯをポインタ４の移動信号として、ＵＳＢコントローラ２１を介してパーソナルコンピュタ２に送付する（ステップＳ１２）。
【００４０】
ステップＳ９において、切換スイッチ２０ｂの可動接点が一方の固定接点に接続され、Ｎｏのときは、光学式センサ５が移動されたかどうかを判断する（ステップＳ１３）。このステップＳ１３でＮｏのときは何も行わない。このステップＳ１３でＹｅｓのときは、マウス本体１を移動した移動量に応じた光学式センサ５の移動量検出信号ＯＰを得（ステップＳ１４）、この光学式センサ５の移動量検出信号ＯＰをポインタ４の移動信号として、ＵＳＢコントローラ２１を介してパーソナルコンピュタ２に送付する（ステップＳ１２）。以後上述を繰り返す。
【００４１】
本例は上述の如く、マウス本体１を移動させることにより画面３ａ上のポインタ４を移動する光学式センサ５と、トラックボール６自体を手の指等で直接回転させることによりこの画面上のポインタを移動するトラックボール６とを設けたので、画面３ａ上のポインタ４の移動量を大きく取るときは、光学式センサ５を使用して、画面３ａ上のポインタ４を移動し、画面３ａ上のポインタ４の移動量を小さく取るときは、このトラックボール６を使用して、画面３ａ上のポインタ４を移動するようにすれば、画面３ａ上のポインタ４を目的の位置に素早く正確（精度良く）に移動することができる。
【００４２】
尚、上述例では、本発明入力装置であるマウス本体１をワイヤ１０を介してパーソナルコンピュタ２に接続するようにしたが、本発明をワイヤレスのマウスに適用するようにしても良いことは勿論である。
【００４３】
また、本発明は上述例に限ることなく、本発明の要旨を逸脱することなく、その他種々の構成が採り得ることは勿論である。
【図面の簡単な説明】
【００４４】
【図１】本発明入力装置を実施するための最良の形態の例をしめし、Ａは上面図、Ｂは底面を示す斜視図である。
【図２】本発明入力装置の使用状態の例を示す外観図である。
【図３】本発明入力装置を実施するための最良の形態の例を示す構成図である。
【図４】図３の説明に供するフローチャートである。
【図５】本発明入力装置を実施するための最良の形態の他の例を示す構成図である。
【図６】図５の説明に供するフローチャートである。
【図７】本発明入力装置を実施するための最良の形態の他の例を示す構成図である。
【図８】図７の説明に供するフローチャートである。
【符号の説明】
【００４５】
１…マウス本体、２…パーソナルコンピュタ、３…ディスプレイ、３ａ…画面、４…ポインタ、５…光学式センサ、６…トラックボール、２０…マイクロコントローラユニット
【図１】
2007179226.tif 000003
【図２】
2007179226.tif 000004
【図３】
2007179226.tif 000005
【図４】
2007179226.tif 000006
【図５】
2007179226.tif 000007
【図６】
2007179226.tif 000008
【図７】
2007179226.tif 000009
【図８】
2007179226.tif 000010